(57)【要約】【課題】本発明は、糸キャリーから引き出された糸が集束する中心部において糸が高密度化しても、リードナイフの挿入口を確実に形成し、リードナイフによる筬打ちを正しく行えるようにしたトーションレース機のプレ開口装置を提供する。【解決手段】トーションレース機を用いて幅広レース（たとえば、カーボン糸を用いてバイアス織物を織成）するときのように、糸キャリアー２の本数が多くなると、外周に沿って配された糸キャリアー２から引き出された糸３もその中心部で高密度に集束した集束部５を作るが、筬打ちのためには高密度集束部５にリードナイフ６の挿入口８を形成しなければならず、したがって、糸キャリアー２寄りに、１又は２以上の拡開手段（プレ開口装置）を設けて前記高密度集束部５においてリードナイフ６の挿入口８を確実に確保できるように構成した。【選択図】図２
2015218415.tif 000002
【特許請求の範囲】
【請求項１】
外周に沿って配された糸キャリアーから引き出された糸を中心部に向けて高密度に集束し、該高密度の集束部にリードナイフの挿入口を形成するための拡開手段を、前記糸キャリアーからリードナイフの挿入口形成部位までの糸間に１又は２以上設けたことを特徴とするトーションレース機のプレ開口装置。
【請求項２】
前記拡開手段が、前記糸間を下から上に通り抜けできる合掌状の傾斜肩部を有する板状体からなることを特徴とする請求項１に記載のトーションレース機のプレ開口装置。
【請求項３】
前記糸キャリアー寄りの拡開手段が、前記傾斜肩部の最下点より下の位置に水平シャフトを備えていることを特徴とする請求項１又は２に記載のトーションレース機のプレ開口装置。
【請求項４】
前記リードナイフ寄りの拡開手段が、合掌状屋根型になっていることを特徴とする請求項１〜３のうちの１に記載のトーションレース機のプレ開口装置。
【発明の詳細な説明】
【技術分野】
【０００１】
本発明は、糸の高密度集束部にリードナイフ挿入口の形成により筬打ちできるようにしたトーションレース機のプレ開口装置に関するものである。
【背景技術】
【０００２】
一般に、トーションレース機は、外周に沿って配された糸キャリーから引き出された糸を中心部に向けて集束し、該糸の集束部の糸間にリードナイフを挿入して筬打ちすることにより織成し、順次、挟圧ローラを通して巻取ドラムに巻き取るようになっている。前記糸の中心部にある集束部といえどもリードナイフが挿入される糸間があるのが普通であって、リードナイフはそれがブレない限り、正確に挿入されるが、リードナイフのブレを抑える技術として特開平９−２１０４５号公報が開示されていた。これはリードナイフガイドを設けることにより解決したものである。
【特許文献１】特開平９−２１０４５号公報
【発明の開示】
【発明が解決しようとする課題】
【０００３】
しかしながら、外周に沿って配された糸キャリアーから引き出された糸を中心部に向けて高密度に集束されるような幅広レース（たとえば、カーボン糸を用いたバイアス織物など）を作るトーションレース機では糸キャリアーの本数が極めて多くなることから、集束部では高密度化することは避けられず、リードナイフは通常の状態では挿入口に対応する糸間がなく、積極的にリードナイフ挿入口を形成する必要があるという問題があった。
【０００４】
本発明は上記の点に鑑みて創出したもので、糸キャリーから引き出された糸が集束する中心部において糸が高密度化しても、リードナイフの挿入口を確実に形成し、リードナイフによる筬打ちを正しく行えるようにしたトーションレース機のプレ開口装置を提供することを目的としている。
【課題を解決するための手段】
【０００５】
上記目的を達成するため、本発明は、外周に沿って配された糸キャリアーから引き出された糸を中心部に向けて高密度に集束し、該高密度の集束部にリードナイフの挿入口を形成するための拡開手段を、前記糸キャリアーからリードナイフの挿入口形成部位までの糸間に１又は２以上設けたことを特徴とし、高密度集束部にリードナイフの挿入口を確実に確保できるように構成した。
【０００６】
また、請求項２に記載の発明は、前記拡開手段が、前記糸間を下から上に通り抜けできる合掌状の傾斜肩部を有する板状体からなることを特徴とし、リードナイフの挿入口に対応する糸キャリアー寄りの糸間に合掌状の傾斜肩部を下から上に通すだけで形成（確保）できるように構成した。
【０００７】
さらに、請求項３に記載の発明は、前記糸キャリアー寄りの拡開手段が、前記傾斜肩部の最下点より下の位置に水平シャフトを備えていることを特徴とし、糸キャリアー寄りの糸間はリードナイフ寄りの糸間より幅広であるため、拡開手段に用いられる板状体も幅広になるため、合掌状の傾斜肩部が糸間を抜けて上に動いたときに同時に拡開糸が傾斜肩部とともに持ち上げられてしまう虞があり、これを積極的に最下点より下（押下げと同結果）になるようにし、糸が緊張しないように構成した。
【０００８】
さらにまた、請求項４に記載の発明は、前記リードナイフ寄りの拡開手段が、合掌状屋根型になっていることを特徴とし、リードナイフ寄りの糸間は幅狭であるため、上述の拡開手段では十分な開口が得られないこともあるし、逆に、複数本のカーボン繊維を束ねてなる糸を用いた場合において、十分な開口が得られないとカーボン繊維間を開口してしまう場合もあり得るのでこれを避けるように構成した。
【発明の効果】
【０００９】
本発明によれば、トーションレース機を用いて幅広レース（たとえば、カーボン糸を用いてバイアス織物を織成）作成するときは、糸キャリアーの本数も多くなり、これから引き出されて中心部で集束される糸も高密度化するが、該高密度化した集束部にリードナイフの挿入口の確保を楽にしかも正確に形成できるという優れた効果を奏する。
【００１０】
また、請求項２に記載の発明によれば、前記糸間を下から上に動かすだけで拡開作業ができるので、作動が単純化（シンプル）するという優れた効果を奏する。
【００１１】
さらに、請求項３に記載の発明によれば、糸キャリアー寄りの糸間はリードナイフ寄りの糸間より幅広であるため、拡開手段に用いられる板状体も幅広になるため、合掌状の傾斜肩部が糸間を抜けて上に動いたときに同時に拡開糸が傾斜肩部とともに持ち上げられてしまう虞があり、これを積極的に最下点より下（押下げと同結果）になるようにし、しかも拡開時に糸が持ち上げられたままになることを避けて緊張しないようにすることにより組織が常に安定化するという優れた効果を奏する。
【００１２】
さらにまた、請求項４に記載の発明によれば、リードナイフ寄りの糸間は幅狭であるため、上述の拡開手段では十分な開口が得られないこともあるし、逆に、複数本のカーボン繊維を束ねてなる糸を用いた場合において、十分な開口が得られないとカーボン繊維間を開口してしまう虞（糸が裂けてしまう）もあり得るのでこれを避けることができるなどの優れた効果を奏する。
【発明を実施するための最良の形態】
【００１３】
次に、本発明の実施の形態を図面に基づいて説明する。図１は糸キャリアーと織前との間の糸間に第１プレ開口及び第２プレ開口を設置したトーションレース機の側面図、図２は第１プレ開口と糸間、第２プレ開口と糸間、リードナイフと糸間をそれぞれ示す斜視図、図３は集束部に挿入されて交点を筬打ちするリードナイフの作用を示す側面図、図４はリードナイフの挿入口を示し、（ａ）は挿入口形成部、（ｂ）は第１プレ開口及び第２プレ開口による拡開時、図５は一部を拡大した拡開手段の斜視図、図６は糸間と拡開手段との関係で、（ａ）は拡開前、（ｂ）は拡開後、図７は拡開手段と水平シャフトとの関係図で、（ａ）は拡開前、（ｂ）は拡開後、図８は合掌状屋根型の拡開手段を用いて拡開している斜視図で、（ａ）は拡開初期、（ｂ）は拡開中期、（ｃ）は拡開後期である。
【００１４】
図１において、１はトーションレース機、２はトーションレース機１の外周に沿って配された糸キャリアーである。トーションレース機１の外周円が大きくなると、糸キャリアー２の個数が増大し、該糸キャリアー２から引き出された糸３は、織前４寄りの集束部５では、図２の如く、高密度化する。該高密度の集束部５にはリードナイフ６を挿入するために十分な大きさの挿入口（開口）７を確実に設ける必要がある。
【００１５】
前記糸３は織前４から外周部（糸キャリアー２）に向かって放射線状に糸間が広くなるので、糸間の存在する位置、たとえば、Ａ点及びＢ点での糸間を拡開手段８により拡開（現糸間を更に広げる）して前記リードナイフ６の挿入口形成部位を広げて確実な大きさの挿入口７を形成する。前記Ａ点における拡開手段８は、糸間が糸キャリアー２寄りであるため元々広くなっているのでこれを更に広げられるような広幅のものが使用される。また、前記Ｂ点における拡開手段８は、糸間が織前４寄りであるため元々狭くなっているのでこれを広げられるような幅のものが使用される。なお、前記拡開手段８は、前記糸キャリアー２からリードナイフの挿入口形成部位までの糸間に２個を設けているが、目的を達成できるなら１個でも２個以上でも良いことは勿論である。
【００１６】
前記リードナイフ６は、平時には、図３の如く、張設された糸３の下側に待機（一点鎖線）し、筬打ちのタイミングにて前記拡開手段８が作用して糸間が広げられて挿入口７が確保されると、該挿入口７から糸３の上側に出て支軸６′を中心に回動して筬打ち（実線）が行われる。これにより織前４が形成される。
【００１７】
前記リードナイフ６の挿入口形成部位７′は、図４（ａ）の如く、糸３、３間は互いに接触し、殆ど間隔が「０」の状態に閉ざされているが、図４（ｂ）の如く、２つの拡開手段８、８の作動により前記糸３、３間は互いに拡開されて前記リードナイフ６の挿入口７がプレ開口される。該プレ開口として、図２のＡ点での拡開手段８の作動を第１プレ開口、図２のＢ点での拡開手段８の作動を第２プレ開口と便宜上称している。勿論、プレ開口個所を２つに限定するものではない。
【００１８】
前記拡開手段８は、図５の如く、半円上に配した３つの柱体９のそれぞれの頂端面から突出した２つの上下杆１０、１０′に支持された半円状の基体１１、１１′に、拡大円Ｓ内に示すように取付けられている。すなわち、拡開手段８は、前記基体１１、１１′に、板状体８ａを固定し、その頂部に合掌状の傾斜肩部８ｂ、８ｃを形成してなる。換言すれば、本願トーションレース機１では、糸キャリアー２が外周に沿って半円形に配置されている関係で、糸キャリアー２と織前４とを結ぶ糸３の同一点（図２のＡ点、Ｂ点）にて前記拡開手段８が作動するように設置されている。
【００１９】
前記上下杆１０、１０′は、各柱体９内に設けられた互いに連繋して作動する上下駆動機（図示せず）の駆動により交互に上下動する。しかして、一方の上下杆１０に支持された基体１１に取付けた拡開手段８が上動して、図６（ａ）の如く、糸３、３の間を下から上に通り抜けると、これらの糸３、３間は、図６（ｂ）の如く、合掌状の傾斜肩部８ｂ、８ｃを滑って落下することにより拡開される。つまり平時の糸３、３の間隔Ｄ１は、板状体８ａの横幅大に拡開されて間隔Ｄ２となる。これによりリードナイフ６の挿入口７がプレ開口される。次いで、他方の上下杆１０′に支持された基体１１′に取付けた拡開手段８が上動し、隣接する糸間を拡開することとなる。
【００２０】
前記プレ開口は、織前４から外周部（糸キャリアー２）に向かって放射線状に並んでいるうち２本毎に糸間を拡開してリードナイフ６の挿入口７を作るばかりでなく、たとえば、６本毎にグループ分けし、１グループ内で、左３本と右３本とを拡開してリードナイフ６の挿入口７を拡開してプレ開口を作り、次いで、当該グループの右３本と隣のグループの左３本とを拡開してリードナイフ６の挿入口７を拡開してプレ開口するようにすることもある。
【００２１】
前記拡開手段８は、合掌状の傾斜肩部８ｂ、８ｃの最下点８ｂ′、８ｃ′より下に水平シャフト１２を備えている場合もある。したがって、該水平シャフト１２の存在下において、拡開手段８が、糸３、３間を、図６（ｂ）の如く、上に向かって通過すると、拡開された糸３は、図７（ａ）の如く、水平シャフト１２の存在により合掌状の傾斜肩部８ｂ、８ｃの途中に引っ掛かることなく、合掌状の傾斜肩部８ｂ、８ｃの最下点８ｂ′、８ｃ′より下まで、図７（ｂ）の如く、落下させられることとなる。つまり、拡開手段８の上動により拡開された糸が持ち上げられて緊張することがなくなるため、織上がりの組織を乱すおそれがない。もっとも、前記拡開手段８が幅狭であって傾斜肩部８ｂ、８ｃの途中に引っ掛かるおそれがないときには水平シャフト１２は不要となる。
【００２２】
前記リードナイフ６寄り挿入口７の拡開手段（第２プレ開口）８は、図８の如く、糸３、３の間に沿って下から上に挿入できるような合掌状屋根型に構成してもよい。そして、前記リードナイフ６の挿入口形成部位７′が挿入口７として形成できるようにしている。すなわち、合掌状屋根型の拡開手段８は、図８（ａ）の如く、拡開初期では糸３、３の間に合掌状屋根の手前棟端８ａが入り込み、次いで、図８（ｂ）の如く、拡開中期では合掌状屋根の中間棟８ｂまで入り込み、次いで、図８（ｃ）の如く、拡開後期では合掌状屋根の奥棟端８ｃが上に完全に抜け、そのすぐ後ろにリードナイフ６の挿入口７を作る。すなわちリードナイフ６寄りの糸間はもともと幅狭（糸間が０に等しい）であっても、挿入口７として確実にして十分な大きさの挿入口７が得られるばかりでなく、たとえ、糸３が複数本のカーボン繊維を束ねてなるものであっても、リードナイフ６によりカーボン繊維間を割り裂いてしまう虞が確実になくなるようにできる。
【産業上の利用可能性】
【００２３】
本発明は、バイアス織物をカーボン糸により安全にしかも正確に織成できるようにしたもので、トーションレース業界での利用はもとより航空機の機体、鉄道車体(電車・貨車等)、自動車車体、船舶などの補強素材として利用可能性の高いものである。
【図面の簡単な説明】
【００２４】
【図１】糸キャリアーと織前との間の糸間に第１プレ開口及び第２プレ開口を設置したトーションレース機の側面図である。
【図２】第１プレ開口と糸間、第２プレ開口と糸間、リードナイフと糸間をそれぞれ示す斜視図である。
【図３】集束部に挿入されて交点を筬打ちするリードナイフの作用を示す側面図である。
【図４】リードナイフの挿入口を示し、（ａ）は挿入口形成部、（ｂ）は第１プレ開口及び第２プレ開口による拡開時である。
【図５】一部を拡大枠内に示した拡開手段の斜視図である。
【図６】糸間と拡開手段との関係で、（ａ）は拡開前、（ｂ）は拡開後である。
【図７】拡開手段と水平シャフトとの関係で、（ａ）は拡開前、（ｂ）は拡開後である。
【図８】合掌状屋根型の拡開手段を用いて拡開している斜視図で、（ａ）は拡開初期、（ｂ）は拡開中期、（ｃ）は拡開後期である。
【符号の説明】
【００２５】
１  トーションレース機
２  糸キャリアー
３  糸
４  織前
５  高密度の集束部
６  リードナイフ
７  挿入口
７′  挿入口形成部位
８  拡開手段
８ａ  合掌状屋根の手前棟端
８ｂ  合掌状屋根の中間棟
８ｃ  合掌状屋根の奥棟端
９  柱体
１０、１０′  上下杆
１１、１１′  基体
【図１】
2015218415.tif 000003
【図２】
2015218415.tif 000004
【図３】
2015218415.tif 000005
【図４】
2015218415.tif 000006
【図５】
2015218415.tif 000007
【図６】
2015218415.tif 000008
【図７】
2015218415.tif 000009
【図８】
2015218415.tif 000010